(57)【要約】【課題】さらに小型化が可能となる情報処理装置を提供する。【解決手段】情報処理装置は、本体部に回動可能に設けられ、情報を入出力する入出力部と、本体部に設けられ、記録媒体に画像形成するプリンタと、入出力部に設けられ、磁気カードを読み取る磁気カードリーダと、本体部のオペレータ側側面に本体部と一体に設けられ、バーコード、販売促進情報、又は商品の外観を撮像する撮像部と、撮像部で撮像された画像データから商品を認識する商品認識部と、を備える。【選択図】図１
2014219839.tif 000002
【特許請求の範囲】
【請求項１】
本体部に回動可能に設けられ、情報を入出力する入出力部と、
前記本体部に設けられ、記録媒体に画像形成するプリンタと、
前記入出力部に設けられ、磁気カードを読み取る磁気カードリーダと、
前記本体部のオペレータ側側面に前記本体部と一体に設けられ、バーコード、販売促進情報、又は商品の外観を撮像する撮像部と、
前記撮像部で撮像された画像データから商品を認識する商品認識部と、
を備える情報処理装置。
【請求項２】
本体部に回動可能に設けられ、情報を入出力する入出力部と、
前記本体部に設けられ、記録媒体に画像形成するプリンタと、
前記入出力部に設けられ、磁気カードを読み取る磁気カードリーダと、
前記本体部の顧客側側面に前記本体部と一体に設けられ、バーコード、販売促進情報、又は商品の外観を撮像する撮像部と、
前記撮像部で撮像された画像データから商品を認識する商品認識部と、
を備える情報処理装置。
【請求項３】
本体部に回動可能に設けられ、情報を入出力する入出力部と、
前記本体部に設けられ、記録媒体に画像形成するプリンタと、
前記入出力部に設けられ、磁気カードを読み取る磁気カードリーダと、
前記入出力部に一体に設けられ、バーコード、販売促進情報、又は商品の外観を撮像する撮像部と、
前記撮像部で撮像された画像データから商品を認識する商品認識部と、
を備える情報処理装置。
【請求項４】
本体部に回動可能に設けられ、情報を入出力する入出力部と、
前記本体部に設けられ、記録媒体に画像形成するプリンタと、
前記入出力部に設けられ、磁気カードを読み取る磁気カードリーダと、
前記磁気カードリーダに一体に設けられ、バーコード、販売促進情報、又は商品の外観を撮像する撮像部と、
前記撮像部で撮像された画像データから商品を認識する商品認識部と、
を備える情報処理装置。
【請求項５】
前記撮像部は、
前記磁気カードリーダのヘッドを避けて取り付けられる請求項４記載の情報処理装置。
【発明の詳細な説明】
【技術分野】
【０００１】
本発明の実施形態は、情報処理装置に関する。
【背景技術】
【０００２】
従来のＰＯＳ（Ｐｏｉｎｔ  Ｏｆ  Ｓａｌｅｓ）端末等の情報処理装置は、本体部にタッチパネルが付属しているものであった。
【０００３】
情報処理装置は小型化の要請から、さらに磁気カードリーダ、及びプリンタを内蔵する機種が提案されている。
【０００４】
しかし、従来の情報処理装置は商品のバーコード等の商品情報を読み取る読取部は、本体部とは別体に構成される付属品として本体部に取り付けが可能であるに留まっていた。
【０００５】
このため、本体部とは別体に構成される付属品として本体部に取り付けられる読取部は小型化の障害となっていた。
【先行技術文献】
【特許文献】
【０００６】
【特許文献１】特開２０１２−２３０１６４号公報
【発明の概要】
【発明が解決しようとする課題】
【０００７】
本発明の実施形態が解決しようとする課題は、さらに小型化が可能となる情報処理装置を提供することである。
【課題を解決するための手段】
【０００８】
上記の課題を解決するために、本発明の一実施形態は、本体部に回動可能に設けられ、情報を入出力する入出力部と、本体部に設けられ、記録媒体に画像形成するプリンタと、入出力部に設けられ、磁気カードを読み取る磁気カードリーダと、本体部のオペレータ側側面に本体部と一体に設けられ、バーコード、販売促進情報、又は商品の外観を撮像する撮像部と、撮像部で撮像された画像データから商品を認識する商品認識部と、を備える情報処理装置を提供する。
【図面の簡単な説明】
【０００９】
【図１】情報処理装置の外観斜視図である。
【図２】撮像部が入出力部の情報表示面側の側面に設けられる例を示す図である。
【図３】入出力部を顧客側に回動した様子を示す図である。
【図４】撮像部が本体部の顧客側側面に、本体部と一体に設けられる例を示す図である。
【図５】撮像部が磁気カードリーダの筺体部分に、磁気カードリーダと一体に設けられる例を示す図である。
【図６】ライトを有する例を示す図である。
【図７】決済端末の構成を示すブロック図である。
【図８】商品マスタのデータ構成を示す図である。
【図９】トランザクションファイルのデータ構成を示す図である。
【図１０】決済端末の動作を示すフローチャートである。
【発明を実施するための形態】
【００１０】
以下、情報処理装置の一実施形態について、図面を用いて詳細に説明する。
【００１１】
本実施形態の情報処理装置は、本体部に回動可能に設けられ、情報を入出力する入出力部と、本体部に設けられ、記録媒体に画像形成するプリンタと、入出力部に設けられ、磁気カードを読み取る磁気カードリーダと、本体部のオペレータ側側面に本体部と一体に設けられ、バーコード、販売促進情報、又は商品の外観を撮像する撮像部と、を備える。
【００１２】
図１は、情報処理装置１の外観斜視図である。図１に示すように、情報処理装置１を、以下決済端末１として説明する。決済端末１は、制御部１０１を格納する本体部１０と、磁気カードの情報を読み取る磁気カードリーダ１１と、タッチパネルなどの入出力部１２と、記録媒体に画像形成するプリンタ１３と、撮像部１４と、を備える。
【００１３】
撮像部１４は、バーコードや二次元バーコード（例えばＱＲコード（登録商標））等のコードシンボル、値引きラベルや各種ポイントラベル等のサービス情報の画像、商品の外観を撮像する。
【００１４】
決済端末１はさらに、通信ポートを備え、この通信ポートにより決済のための装置を接続することが可能である。決済のための装置としては、例えば無線タグを読み書きする無線タグリーダライタ、ＩＣカードを読み書きし、暗証番号の入力を行うことが可能なＩＣカードＰＩＮＰＡＤなどが挙げられるが、これらに限られるものではない。
【００１５】
以下説明する入出力部１２は可倒式であり、入出力部１２は本体部１０にヒンジによって回動可能に支持される。
【００１６】
プリンタ１３は、入出力部１２に設置されていても、本体部１０に設置されていてもよい。
【００１７】
撮像部１４は、例えばＣＣＤ（Ｃｈａｒｇｅ  Ｃｏｕｐｌｅｄ  Ｄｅｖｉｃｅ）イメージセンサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等のカメラである。
【００１８】
撮像部１４に撮像装置を用いた場合、本体部１０に設けられる制御部１０１は撮像部１４の出力から、商品に貼付され、商品コードを表わすバーコード、商品に貼付された値引きやポイントアップ等の販売促進情報、又は商品自体の形状を含む商品情報を撮像する。
【００１９】
決済端末１はさらに、撮像部１４の近傍に商品を照らすライト（照明部）１５を備えていてもよい。ライト１５は、撮像部１４の感度が十分に高い場合には省略することが可能である。
【００２０】
決済端末１は、撮像部１４を本体部１０のオペレータ側の側面に、本体部１０と一体に備える。この場合、オペレータは容易に商品を決済端末１に読み取らせることができるという効果がある。
【００２１】
図２は、撮像部１４が入出力部１２の情報表示面側の側面に設けられる例を示す図である。図３は、入出力部１２を顧客側に回動した様子を示す図である。
【００２２】
図２及び図３に示すように、決済端末１は撮像部１４を入出力部１２の情報表示面側の側面に、入出力部１２と一体に備えていてもよい。
【００２３】
決済端末１は、本体部１０に入出力部１２を矢印Ｘに示すオペレータ側と顧客側に回動する方向に回動可能に備える。図３のように入出力部１２を顧客側に回動させると、撮像部１４は顧客側を向く。
【００２４】
従って、顧客は自分で購入する商品の商品情報を決済端末１に読み取らせることができるという効果がある。
【００２５】
図４は、撮像部１４が本体部１０の顧客側側面に、本体部１０と一体に設けられる例を示す図である。図４に示すように、決済端末１は入出力部１２を顧客側に回動して使用することができる。
【００２６】
この場合、入出力部１２を顧客側に回動しない状態においても、また、入出力部１２を顧客側に回動した状態においても、顧客は自分で購入する商品の商品情報を決済端末１に読み取らせることができるという効果がある。
【００２７】
図５は、撮像部１４が磁気カードリーダ１１の筺体部分に、磁気カードリーダ１１と一体に設けられる例を示す図である。図５に示すように、撮像部１４は磁気カードリーダ１１のヘッドの設置位置を避けるように設けられる。
【００２８】
撮像部１４は、例えば磁気カードリーダ１１の端部に設けることができる。図５には決済端末１が磁気カードリーダ１１の下端部に撮像部を有する例を示す。決済端末１は、磁気カードリーダ１１の上端部に撮像部１４を有していてもよい。
【００２９】
磁気カードリーダ１１の筺体はスペース的に余裕がある場合が多い。従って、より大きい撮像部１４を設置することができるという効果がある。
【００３０】
図６は、ライト１５を有する例を示す図である。図６に示すように、決済端末１は、撮像部１４が設けられる決済端末１の側面と同一の側面であって、ライト１５が照射する光の商品による反射光が撮像部１４に入射する範囲内にライト１５を設けることができる。
【００３１】
この場合、暗い店舗の内部でも商品情報を読み取ることができるという効果がある。
【００３２】
図７は、決済端末１の構成を示すブロック図である。図３に示すように、決済端末１は、ＣＰＵなどの演算装置を含む制御部１０１と、情報を入出力するタッチパネルなどの入出力部１２と、ＲＯＭ、ＲＡＭ、ハードディスクドライブなどの記憶装置を含む記憶部１０２と、磁気カードリーダ１１と、プリンタ１３と、商品情報を撮像する撮像部１４と、光を照射するライト１５と、通信を行う通信部１０３と、を備える。
【００３３】
制御部１０１は、画像データ取込部１０１Ａと、バーコード認識部１０１Ｂと、販売促進情報認識部１０１Ｃと、物体認識部１０１Ｄを備える。バーコード認識部１０１Ｂ、販売促進情報認識部１０１Ｃ、及び物体認識部１０１Ｄを商品認識部と呼ぶ。
【００３４】
画像データ取込部１０１Ａは、撮像部１４に撮像オン信号を出力して撮像部１４に撮像動作を開始させる。画像データ取込部１０１Ａは、撮像部１４が撮像した撮像エリアの画像データを取り込み、取り込んだ画像データを記憶部１０２に格納する。
【００３５】
バーコード認識部１０１Ｂは、画像データ取込部１０１Ａが記憶部１０２に格納した画像データから、バーコードの画像を検出し、検出したバーコードから、商品の商品情報を認識する。
【００３６】
販売促進情報認識部１０１Ｃは、画像データ取込部が記憶部１０２に格納した画像データから、商品情報を検出し、検出した商品情報から販売促進情報を認識する。
【００３７】
物体認識部１０１Ｄは、画像データ取込部１０１Ａが記憶部１０２に格納した画像データから、物体を検出し、検出された商品の表面の状態（表面の色合い、模様、凸凹状況、形状等）を特徴量として抽出し、予め格納される特徴量の基準値と比較することにより商品を認識する。
【００３８】
上記のように画像中に含まれる物体を認識する具体的な方法は、例えば一般物体認識（ＧＥＮＥＲＩＣ  ＯＢＪＥＣＴ  ＲＥＣＯＧＮＩＴＩＯＮ）と呼ばれている公知技術を用いることができる。
【００３９】
この一般物体認識については、下記の文献において各種認識技術が解説されている。
【００４０】
柳井  啓司，“一般物体認識の現状と今後”，情報処理学会論文誌，ＶＯＬ．４８，ＮＯ．ＳＩＧ１６  ［平成２４年７月２６日検索］，インターネット＜ＵＲＬ：  ＨＴＴＰ：／／ＭＭ．ＣＳ．ＵＥＣ．ＡＣ．ＪＰ／ＩＰＳＪ−ＴＣＶＩＭ−ＹＡＮＡＩ．ＰＤＦ＞
また、画像を物品（オブジェクト）ごとに領域分割することによって一般物体認識を行う技術が、下記の文献において解説されている。
【００４１】
ＪＡＭＩＥ  ＳＨＯＴＴＯＮら，“ＳＥＭＡＮＴＩＣ  ＴＥＸＴＯＮ  ＦＯＲＥＳＴＳ  ＦＯＲ  ＩＭＡＧＥ  ＣＡＴＥＧＯＲＩＺＡＴＩＯＮ  ＡＮＤ  ＳＥＧＭＥＮＴＡＴＩＯＮ”，［平成２５年１月２４日検索］，インターネット＜ＵＲＬ：  ＨＴＴＰ：／／ＣＩＴＥＳＥＥＲＸ．ＩＳＴ．ＰＳＵ．ＥＤＵ／ＶＩＥＷＤＯＣ／ＤＯＷＮＬＯＡＤ？ＤＯＩ＝１０．１．１．１４５．３０３６＆ＲＥＰ＝ＲＥＰ１＆ＴＹＰＥ＝ＰＤＦ＞
記憶部１０２は、商品に固有に割り当てられる商品コード毎に商品の名称及び単価を格納する商品マスタ１０２Ａと、一取引の内容を格納するトランザクションファイル１０２Ｂと、を格納する。
【００４２】
トランザクションファイル１０２Ｂには、商品毎に、固有に割り当てられる商品コード毎に、当該商品が属する商品分類、商品名、単価等の商品に関する情報と、その商品を撮像した商品画像とが関連付けて登録される。
【００４３】
図８は、商品マスタ１０２Ａのデータ構成を示す図である。図８に示すように、商品マスタ１０２Ａは、商品に固有に割り当てられる「商品コード」と、商品の名称である「名称」と、商品の単価である「単価」と、当該商品を扱う部門を示す「部門」と、を格納する。
【００４４】
各データの例は、商品コードが「４００００００００１２３４」、名称が「冷凍カルボナーラ」、単価が「３９８」、部門が「５０１０」である。
【００４５】
図９は、トランザクションファイル１０２Ｂのデータ構成を示す図である。図９に示すように、トランザクションファイル１０２Ｂは、取引内容である「商品コード」と、取引した商品の名称である「名称」と、当該商品の単価である「単価」と、取引数量を示す「数量」と、撮像部１４が撮像した商品の外観である「商品画像」と、を格納する。
【００４６】
各データの例は、商品コードが「４００００００００１２３４」、名称が「冷凍カルボナーラ」、単価が「３９８」、数量が「２」、商品画像が「４００００００００１２３４.ｊｐｇ」である。
【００４７】
図１０は、決済端末１の制御部１０１の動作を示すフローチャートである。図１０に示すように、ステップ１０００において、制御部１０１は、撮像オン信号を出力させる。
【００４８】
ステップ１００１において、制御部１０１はライトを点灯させる。
【００４９】
ステップ１００２において、制御部１０１は撮像部１４によって商品情報を撮像し、画像データを取り込む。商品情報には、商品コード、販売促進情報、及び商品の形状が含まれる。制御部１０１は取り込まれた画像データから商品を認識する。
【００５０】
ステップ１００３において、制御部１０１は読み取った商品コードに基づいて商品マスタ１０２Ａを検索し、商品の名称、単価、部門を読み込む。
【００５１】
ステップ１００４において、制御部１０１は商品の数量を入力する。
【００５２】
ステップ１００５において、制御部１０１は取引内容、すなわち商品コード、名称、単価、数量をトランザクションファイル１０２Ｂに格納する。
【００５３】
この際、商品情報に販売促進情報が含まれている場合には、制御部１０１はその情報に基づいて単価を割り引き、ポイントを増加させる。例えば、商品に「５０円引き」のシールが貼られていた場合、制御部１０１は撮像部１４によってこの販売促進情報を読み取り、画像処理した後に、対応する５０円引きの処理を単価に施す。
【００５４】
このように、撮像部１４に撮像装置を使用する場合には、商品コード以外の商品情報を読み取ることができるという効果がある。
【００５５】
ステップ１００６において、制御部１０１は、小計キーが押下されたかを判定する。制御部１０１は、小計キーが押下されたと判定した場合、ステップ１００７に進み、押下されていないと判定した場合にはステップ１００２に戻る。
【００５６】
ステップ１００７において、制御部１０１は一取引の小計を計算し、入出力部１２に表示する。
【００５７】
ステップ１００８において、制御部１０１は預かり金を入力する。
【００５８】
ステップ１００９において、制御部１０１はつり銭を計算し、一取引を終了させる。
【００５９】
以上述べたように、本実施形態の決済端末１は、制御部１０１を格納する本体部１０と、磁気カードの情報を読み取る磁気カードリーダ１１と、情報を入出力する入出力部１２と、記録媒体に画像形成するプリンタ１３と、バーコード、販売促進情報、又は商品の外観を撮像する撮像部１４と、を備える。
【００６０】
従って、決済端末１をさらに小型にできるという効果がある。
【００６１】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６２】
１：情報処理装置
１１：磁気カードリーダ
１２：入出力部
１３：プリンタ
１４：撮像部
１５：ライト
１０１：制御部
【図１】
2014219839.tif 000003
【図２】
2014219839.tif 000004
【図３】
2014219839.tif 000005
【図４】
2014219839.tif 000006
【図５】
2014219839.tif 000007
【図６】
2014219839.tif 000008
【図７】
2014219839.tif 000009
【図８】
2014219839.tif 000010
【図９】
2014219839.tif 000011
【図１０】
2014219839.tif 000012